(57)【要約】【課題】撮影画像を精度良くイベントごとに分類して表示することができる表示装置、表示プログラム、および表示方法を提供することを目的とする。【解決手段】日時が対応付けられた複数のデータを取得するデータ取得部と、複数のデータそれぞれに対応付けられた日時を取得する日時取得部と、日時取得部で取得された日時の間隔の大きさに基づいて、複数のデータを、互いに重複しない複数の時間領域それぞれに属する複数のグループに分類するデータ分類部と、複数のデータそれぞれを示す複数のアイコンをグループに分類して表示する表示部とを備えた。【選択図】        図１３
2010205308.tif 000002
【特許請求の範囲】
【請求項１】
日時が対応付けられた複数のデータを取得するデータ取得部と、
前記複数のデータそれぞれに対応付けられた日時を取得する日時取得部と、
前記日時取得部で取得された日時の間隔の大きさに基づいて、前記複数のデータを、互いに重複しない複数の時間領域それぞれに属する複数のグループに分類するデータ分類部と、
前記複数のデータそれぞれを示す複数のアイコンを前記グループに分類して表示する表示部とを備え、
前記データ分類部は、前記日時取得部で取得された日時の間隔の相対的な大きさに基づいて、該間隔が相対的に小さい２つの日時それぞれが対応付けられている２つのデータについては同グループに、該間隔が相対的に大きい２つの日時それぞれが対応付けられている２つのデータについては互いに別グループに分類するものであることを特徴とする表示装置。
【請求項２】
前記データは、被写体を撮影した撮影画像を表した、該撮影画像の撮影日時が対応付けられた画像データであり、
前記日時取得部は、前記撮影日時を取得するものであることを特徴とする請求項１記載の表示装置。
【請求項３】
前記表示部は、前記グループの軸を有する３次元空間を表示し、前記データのアイコンを、その３次元空間上における、該データが分類されたグループの位置に配置するものであることを特徴とする請求項１または２記載の表示装置。
【請求項４】
前記グループの軸を有する２次元空間を表示し、その２次元空間上における、前記データが分類されているグループに対応する位置に、該グループにはデータが存在することを示すマークを配置する補助表示部を備えたことを特徴とする請求項１から３のうちいずれか１項に記載の表示装置。
【請求項５】
前記表示部は、前記グループの軸を有する３次元空間を表示し、前記データのアイコンを、その３次元空間上における、該データが分類されたグループの位置に配置するものであり、
前記２次元空間上の、前記グループの軸とは別の軸に沿った指定枠を表示する、操作に応じて該指定枠を該グループの軸に沿って移動させることにより、該２次元空間上で該グループを指定する指定部と、
前記表示部に、前記指定部によって指定されたグループを最前面にして前記アイコンを配置させる表示制御部とを備えたことを特徴とする請求項４記載の表示装置。
【請求項６】
前記指定部によって指定されたグループに分類されたデータの数を表示するデータ数表示部を備えたことを特徴とする請求項５記載の表示装置。
【請求項７】
前記データ取得部が、前記複数のデータが記憶された記憶装置から該複数のデータを取得するものであることを特徴とする請求項１から６のうちいずれか１項に記載の表示装置。
【請求項８】
コンピュータ内で実行され、該コンピュータ上に、
日時が対応付けられた複数のデータを取得するデータ取得部と、
前記複数のデータそれぞれに対応付けられた日時を取得する日時取得部と、
前記日時取得部で取得された日時の間隔の大きさに基づいて、前記複数のデータを、互いに重複しない複数の時間領域それぞれに属する複数のグループに分類するデータ分類部と、
前記複数のデータそれぞれを示す複数のアイコンを前記グループに分類して表示する表示部とを構築する、
前記データ分類部は、前記日時取得部で取得された日時の間隔の相対的な大きさに基づいて、該間隔が相対的に小さい２つの日時それぞれが対応付けられている２つのデータについては同グループに、該間隔が相対的に大きい２つの日時それぞれが対応付けられている２つのデータについては互いに別グループに分類するものであることを特徴とする表示プログラム。
【請求項９】
前記データは、被写体を撮影した撮影画像を表した、該撮影画像の撮影日時が対応付けられた画像データであり、
前記日時取得部は、前記撮影日時を取得するものであることを特徴とする請求項８記載の表示プログラム。
【請求項１０】
前記表示部は、前記グループの軸を有する３次元空間を表示し、前記データのアイコンを、その３次元空間上における、該データが分類されたグループの位置に配置するものであることを特徴とする請求項８または９記載の表示プログラム。
【請求項１１】
前記グループの軸を有する２次元空間を表示し、その２次元空間上における、前記データが分類されているグループに対応する位置に、該グループにはデータが存在することを示すマークを配置する補助表示部を更に構築することを特徴とする請求項８から１０のうちいずれか１項に記載の表示プログラム。
【請求項１２】
前記表示部は、前記グループの軸を有する３次元空間を表示し、前記データのアイコンを、その３次元空間上における、該データが分類されたグループの位置に配置するものであり、
前記２次元空間上の、前記グループの軸とは別の軸に沿った指定枠を表示する、操作に応じて該指定枠を該グループの軸に沿って移動させることにより、該２次元空間上で該グループを指定する指定部と、
前記表示部に、前記指定部によって指定されたグループを最前面にして前記アイコンを配置させる表示制御部とを更に構築することを特徴とする請求項１１記載の表示プログラム。
【請求項１３】
前記指定部によって指定されたグループに分類されたデータの数を表示するデータ数表示部を更に構築することを特徴とする請求項１２記載の表示プログラム。
【請求項１４】
前記データ取得部が、前記複数のデータが記憶された記憶装置から該複数のデータを取得するものであることを特徴とする請求項８から１３のうちいずれか１項に記載の表示プログラム。
【請求項１５】
日時が対応付けられた複数のデータを取得するデータ取得過程と、
前記複数のデータそれぞれに対応付けられた日時を取得する日時取得過程と、
前記日時取得過程で取得された日時の間隔の大きさに基づいて、前記複数のデータを、互いに重複しない複数の時間領域それぞれに属する複数のグループに分類するデータ分類過程と、
前記複数のデータそれぞれを示す複数のアイコンを前記グループに分類して表示する表示過程とを有する、
前記データ分類過程は、前記日時取得部で取得された日時の間隔の相対的な大きさに基づいて、該間隔が相対的に小さい２つの日時それぞれが対応付けられている２つのデータについては同グループに、該間隔が相対的に大きい２つの日時それぞれが対応付けられている２つのデータについては互いに別グループに分類する過程であることを特徴とする表示方法。
【発明の詳細な説明】
【技術分野】
【０００１】
本発明は、日時が対応付けられたデータの一覧を表示する表示装置、表示プログラム、および表示方法に関する。
【背景技術】
【０００２】
近年、デジタルカメラの小型化が急速に進んできたことに加えて、日ごろから常に携帯している携帯電話などといった小型機器に撮影装置を搭載することが広く行われており、撮影装置を手軽に持ち運ぶことができるようになってきている。デジタルカメラや、小型機器に搭載された撮影装置では、デジタルの撮影画像が取得されるため、撮影画像をその場ですぐに液晶ディスプレイなどに表示して確認したり、不要な撮影画像をプリント出力する前に削除することができる。さらに、複数枚の撮影画像をまとめて記録メディア等に記録しておくことによって、保管の際にかさ張らず、撮影画像を高画質なままで保管することができる。
【０００３】
また、近年では、パーソナルコンピュータを使って撮影画像を整理するためのアルバム用アプリケーションが広く用いられてきている。パーソナルコンピュータは、大容量なハードディスク装置が備えられているため、残容量を気にせずに大量の撮影画像を保存しておくことができるうえ、撮影画像をコピーしたり、撮影画像を電子メールなどに添付するなどといった作業が容易であるという利点がある。このため、撮影した全ての撮影画像をとりあえず保存しておくというユーザが多く、パーソナルコンピュータのハードディスク装置には、大量の撮影画像が閲覧されずにたまってしまっている場合があり、このような状態で、大量の撮影画像の中から所望の撮影画像を探し出すことは大変困難であるという問題がある。
【０００４】
特許文献１、特許文献２、および特許文献３には、時刻、日、週などを軸とする３次元空間上に、配信される予定の番組の番組タイトルが配置された番組表を表示する技術について記載されている。これらの技術は、配信される予定の番組の一覧を表示するものであるが、撮影画像の一覧表示に流用すると、それらの撮影画像がいつ撮影されたものなのかを認識するためのツールとして使うことができる。
【０００５】
また、入学式や旅行などといったイベント中に撮影された撮影画像は、まとめて閲覧されることが多く、ハードディスク装置に保存された大量の撮影画像をイベントごとに分類して表示することが好ましい。撮影画像を複数のグループに分類する方法としては、撮影画像を撮影日時ごとに分類することが考えられるが、この方法では、数日間の旅行中に撮影された撮影画像は複数のイベントとして分類されてしまうため、撮影画像を確認しづらいという問題がある。
【０００６】
この点に関し、特許文献４には、撮影日時からの経過時間と、撮影画像の利用頻度とに基づいて、撮影画像を複数のグループに分類して表示する技術について記載されている。この特許文献４に記載された技術によると、同じころに撮影されて、同じ程度に閲覧された撮影画像は同じグループに分類されるため、まとめて閲覧されることが多い旅行中の撮影画像を同じグループに分類することができる。
【先行技術文献】
【特許文献】
【０００７】
【特許文献１】特開平１１−２５５４１号公報
【特許文献２】特開２００２−８４４６９号公報
【特許文献３】特開平１０−２４３３０９公報
【特許文献４】特開２００４−１７２８４９号公報
【発明の概要】
【発明が解決しようとする課題】
【０００８】
しかし、特許文献４に記載された技術では、少なくとも１度は撮影画像を閲覧して、１つのイベント中に撮影された複数の撮影画像それぞれの使用頻度を揃えておく必要があり、結局は、ユーザが手動で撮影画像を分類する手間と同様な手間がかかってしまうという問題がある。
【０００９】
この問題は、撮影画像データをイベントごとに分類する場合にのみ生じる問題ではなく、例えば、大量の文書データなどをプロジェクトごとに分類する場合などにも一般的に生じる問題である。
【００１０】
本発明は、上記事情に鑑み、データを精度良く複数グループに分類して表示することができる表示装置、表示プログラム、および表示方法を提供することを目的とする。
【課題を解決するための手段】
【００１１】
上記目的を達成する本発明の表示装置は、日時が対応付けられた複数のデータを取得するデータ取得部と、
複数のデータそれぞれに対応付けられた日時を取得する日時取得部と、
日時取得部で取得された日時の間隔の大きさに基づいて、複数のデータを、互いに重複しない複数の時間領域それぞれに属する複数のグループに分類するデータ分類部と、
複数のデータそれぞれを示す複数のアイコンをグループに分類して表示する表示部とを備えたことを特徴とする。
【００１２】
通常、入学式や旅行などといったイベント中には短い撮影間隔で撮影が行われ、イベントとイベントとの間は、１つのイベント中の撮影間隔と比べて大きく開いていることが多い。本発明の表示装置によると、複数のデータそれぞれに対応付けられた日時の間隔の大きさに基づいて、複数のデータが複数のグループに分類されるため、複数のデータを精度良くイベントごとに分類することができる。
【００１３】
また、本発明の表示装置において、上記データは、被写体を撮影した撮影画像を表した、撮影画像の撮影日時が対応付けられた画像データであり、
上記日時取得部は、撮影日時を取得するものであることが好ましい。
【００１４】
撮影画像を表わす撮影画像データは、イベントごとに分類するニーズが高く、撮影間隔に基づいた分類が適しており、本発明の表示装置によって大きな効果を得ることができる。
【００１５】
また、本発明の表示装置において、上記データ分類部は、日時取得部で取得された日時の間隔の相対的な大きさに基づいて、複数のデータを複数のグループに分類するものであることが好ましい。
【００１６】
複数のデータを日時の間隔の相対的な大きさに基づいて分類することによって、数日間の旅行の間に撮影された撮影画像などを同じグループに分類することができる。
【００１７】
また、本発明の表示装置において、上記データ分類部は、複数のデータをグループに分類するに当たり、そのデータに対応付けられている日時の間隔を時間順に確認し、１つ前の間隔の大きさに対する大きさの変化が所定程度を越えている間隔を挟んだ２つの日時それぞれが対応付けられている２つのデータについては互いに別のグループに分類するものであることが好ましい。
【００１８】
各データに対応付けられている日時の間隔変化を用いることによって、イベントの区切りを精度良く確認することができる。
【００１９】
また、本発明の表示装置において、上記表示部は、グループの軸を有する３次元空間を表示し、データのアイコンを、その３次元空間上における、そのデータが分類されたグループの位置に配置するものであることが好ましい。
【００２０】
３次元空間上のアイコンの配置位置によって、どのデータがどのグループに分類されているのかを容易に確認することができる。
【００２１】
また、本発明の表示装置において、上記グループの軸を有する２次元空間を表示し、その２次元空間上における、データが分類されているグループに対応する位置に、そのグループにはデータが存在することを示すマークを配置する補助表示部を備えたことが好ましい。
【００２２】
大量のデータのアイコンを配置して表示すると、それらのアイコンの配置位置が重なり合ってしまって、アイコンの有無が見えにくくなってしまう恐れがある。表示部における表示に加えて、２次元空間上にマークを配置して表示することによって、データの存在を容易に認識することができる。
【００２３】
また、本発明の表示装置において、２次元空間上の、グループの軸とは別の軸に沿った指定枠を表示する、操作に応じて該指定枠を該グループの軸に沿って移動させることにより、２次元空間上でグループを指定する指定部と、
３次元表示部に、指定部によって指定されたグループを最前面にしてアイコンを配置させる表示制御部とを備えたことが好ましい。
【００２４】
２次元空間上の指定枠を移動させることによって、３次元空間上の表示を容易に切り替えることができる。
【００２５】
また、本発明の表示装置において、上記指定部によって指定されたグループに分類されたデータの数を表示するデータ数表示部を備えたことが好適である。
【００２６】
この好適な表示装置によると、指定部によって指定されたグループに分類されたデータの数を容易に確認することができる。
【００２７】
また、本発明の表示装置において、上記データ取得部が、複数のデータが記憶された記憶装置から複数のデータを取得するものであることが好適である。
【００２８】
この好適な表示装置によると、ハードディスク装置などに大量に保存されているデータを複数のグループに分類して表示することができる。
【００２９】
また、上記目的を達成する本発明の表示プログラムは、コンピュータ内で実行され、コンピュータ上に、
日時が対応付けられた複数のデータを取得するデータ取得部と、
複数のデータそれぞれに対応付けられた日時を取得する日時取得部と、
日時取得部で取得された日時の間隔の大きさに基づいて、複数のデータを、互いに重複しない複数の時間領域それぞれに属する複数のグループに分類するデータ分類部と、
複数のデータそれぞれを示す複数のアイコンをグループに分類して表示する表示部とを構築することを特徴とする。
【００３０】
尚、表示プログラムについては、ここではその基本形態のみを示すのにとどめるが、これは単に重複を避けるためであり、本発明にいう表示プログラムには、上記の基本形態のみではなく、前述した表示装置の各形態に対応する各種の形態が含まれる。
【００３１】
さらに、本発明の表示プログラムがコンピュータシステム上に構築する日時取得部などといった要素は、１つの要素が１つのプログラム部品によって構築されるものであってもよく、複数の要素が１つのプログラム部品によって構築されるものであってもよい。また、これらの要素は、そのような作用を自分自身で実行するものとして構築されてもよく、あるいはコンピュータシステムに組み込まれている他のプログラムやプログラム部品に指示を与えて実行するものとして構築されてもよい。
【００３２】
また、上記目的を達成する本発明の表示方法は、日時が対応付けられた複数のデータを取得するデータ取得過程と、
複数のデータそれぞれに対応付けられた日時を取得する日時取得過程と、
日時取得過程で取得された日時の間隔の大きさに基づいて、複数のデータを、互いに重複しない複数の時間領域それぞれに属する複数のグループに分類するデータ分類過程と、
複数のデータそれぞれを示す複数のアイコンをグループに分類して表示する表示過程とを有することを特徴とする。
【００３３】
本発明の表示方法によると、撮影画像を表わす撮影画像データなどといったデータを精度良く複数のグループに分類することができる。
【００３４】
尚、表示方法についても、ここではその基本形態のみを示すのにとどめるが、これは単に重複を避けるためであり、本発明にいう表示方法には、上記の基本形態のみではなく、前述した表示装置の各形態に対応する各種の形態が含まれる。
【発明の効果】
【００３５】
本発明によれば、撮影画像を精度良くイベントごとに分類して表示することができる。
【図面の簡単な説明】
【００３６】
【図１】本発明の一実施形態が適用された番組配信システムの概略構成図である。
【図２】パーソナルコンピュータの内部構成図である。
【図３】一覧表示プログラムが記憶されたＣＤ−ＲＯＭを示す概念図である。
【図４】一覧表示装置の機能ブロック図である。
【図５】撮影日時モードによる撮影画像の一覧表示の処理の流れを示すフローチャート図である。
【図６】３次元空間の一例を示す概念図である。
【図７】２次元空間の一例を示す概念図である。
【図８】３次元画像、２次元画像、およびスクロールバーが表示された表示画面の一例を示す図である。
【図９】ポップアップウィンドウが表示された後の表示画面の一例を示す図である。
【図１０】保存部に記憶されている撮影画像データの概念図である。
【図１１】イベントモードによる撮影画像の一覧表示の処理の流れを示すフローチャート図である。
【図１２】撮影画像を分類するための分類条件を設定する条件設定画面の一例を示す図である。
【図１３】イベント分類部において、図１０に示す複数の撮影画像を複数のイベントグループに分類する一連の処理を示すフローチャート図である。
【図１４】３次元画像、２次元画像、およびスクロールバー６２３が表示された表示画面の一例を示す図である。
【図１５】イベントグループが切り替えられた後の表示画面の一例を示す図である。
【発明を実施するための形態】
【００３７】
以下、図面を参照して本発明の実施の形態を説明する。
【００３８】
図１は、本発明の一実施形態が適用されたパーソナルコンピュータの外観構成図である。
【００３９】
パーソナルコンピュータ１００は、外観構成上、本体装置１０１、その本体装置１０１からの指示に応じて表示画面１０２ａ上に画像を表示する画像表示装置１０２、本体装置１０１にキー操作に応じた各種の情報を入力するキーボード１０３、および、表示画面１０２ａ上の任意の位置を指定することにより、その位置に表示された、例えばアイコン等に応じた指示を入力するマウス１０４を備えている。また、図示しないが、この本体装置１０１は、ＤＶＤやＣＤ−ＲＯＭが装填されるＣＤ／ＤＶＤ装填口、およびフレキシブルディスク（以下では、ＦＤと省略する）を装填するためのＦＤ装填口を有している。
【００４０】
図２は、パーソナルコンピュータ１００の内部構成図である。
【００４１】
本体装置１０１の内部には、図２に示すように、各種プログラムを実行するＣＰＵ１１１、ハードディスク装置１１３に格納されたプログラムが読み出されＣＰＵ１１１での実行のために展開される主メモリ１１２、各種プログラムやデータ等が保存されたハードディスク装置１１３、ＣＤ−ＲＯＭ３００やＤＶＤが装填され、その装填されたＣＤ−ＲＯＭ３００やＤＶＤをアクセスするＣＤ／ＤＶＤドライブ１１４、ＦＤ３１０が装填され、装填されたＦＤ３１０をアクセスするＦＤドライブ１１５、およびデジタルカメラなどといった外部装置と接続され、その外部装置との間でデータの送受信を行う通信インタフェース１１６が備えられており、これらの各種要素と、さらに図２にも示す画像表示装置１０２、キーボード１０３、およびマウス１０４は、バス１０５を介して相互に接続されている。
【００４２】
ここで、ＣＤ−ＲＯＭ３００には、本発明の表示プログラムの一実施形態が適用された一覧表示プログラムが記憶されている。そのＣＤ−ＲＯＭ３００はＣＤ／ＤＶＤドライブ１１４に装填され、そのＣＤ−ＲＯＭ３００に記憶された一覧表示プログラムがこのパーソナルコンピュータ１００にアップロードされてハードディスク装置１１３に記憶される。そして、この表示プログラムが起動されて実行されることにより、パーソナルコンピュータ１００内に、本発明の表示装置の一実施形態が適用された一覧表示装置５００（図４参照）が構築される。
【００４３】
次に、このパーソナルコンピュータ１００内で実行される一覧表示プログラムについて説明する。
【００４４】
図３は、一覧表示プログラムが記憶されたＣＤ−ＲＯＭ３００を示す概念図である。
【００４５】
一覧表示プログラム４００は、指示部４１１、取込部４１２、登録部４１３、撮影情報・画像取得部４１４、イベント分類部４１５、位置算出部４１６、２次元画像生成部４１７、３次元画像生成部４１８、表示部４１９、強調表示部４２０、画像記憶部４２１、数表示部４２２、および制御部４２３で構成されている。一覧表示プログラム４００の各部の詳細については、一覧表示装置５００の各部の作用と一緒に説明する。
【００４６】
尚、図３では、一覧表示プログラムを記憶する記憶媒体としてＣＤ−ＲＯＭ３００が例示されているが、本発明の表示プログラムを記憶する記憶媒体はＣＤ−ＲＯＭに限られるものではなく、それ以外の光ディスク、ＭＯ、ＦＤ、磁気テープなどの記憶媒体であってもよい。また、本発明の表示プログラムは、記憶媒体を介さずに、通信網を介して直接にコンピュータに供給されるものであってもよい。
【００４７】
図４は、一覧表示プログラム４００を図１に示すパーソナルコンピュータ１００にインストールしたときの、パーソナルコンピュータ１００内に構築される一覧表示装置５００の機能ブロック図である。
【００４８】
図４に示す一覧表示装置５００は、指示部５１１と、取込部５１２と、登録部５１３と、撮影情報・画像取得部５１４と、位置算出部５１５と、２次元画像生成部５１６と、３次元画像生成部５１７と、表示部５１９と、強調表示部５２０と、画像記憶部５２１と、制御部５２２と、数表示部５２３と、イベント分類部５２４と、保存部５０１とを備えている。図３に示す一覧表示プログラム４００を図１に示すパーソナルコンピュータ１００にインストールすると、一覧表示プログラム４００の指示部４１１は図４の指示部５１１を構築し、以下同様に、取込部４１２は取込部５１２を構築し、登録部４１３は登録部５１３を構築し、撮影情報・画像取得部４１４は撮影情報・画像取得部５１４を構築し、位置算出部４１６は位置算出部５１５を構築し、２次元画像生成部４１７は２次元画像生成部５１６を構築し、３次元画像生成部４１８は３次元画像生成部５１７を構築し、表示部４１９は表示部５１９を構築し、強調表示部４２０は強調表示部５２０を構築し、画像記憶部４２１は画像記憶部５２１を構築し、制御部４２３は制御部５２２を構築し、数表示部４２２は数表示部５２３を構築し、イベント分類部４１５はイベント分類部５２４を構築する。
【００４９】
図４の各要素は、コンピュータのハードウェアとそのコンピュータで実行されるＯＳやアプリケーションプログラムとの組合せで構成されているのに対し、図３に示す一覧表示プログラム４００の各要素はそれらのうちのアプリケーションプログラムのみにより構成されている点が異なる。
【００５０】
以下、図４に示す一覧表示装置５００の各要素を説明することによって、図３に示す一覧表示プログラム４００の各要素も併せて説明する。
【００５１】
図４に示す一覧表示装置５００は、被写体が撮影された撮影画像を表わす撮影画像データの一覧を表示するとともに、ユーザによって選択された撮影画像データを記録媒体などに記録するものである。
【００５２】
取込部５１２は、図１に示すパーソナルコンピュータ１００に、デジタルカメラが接続されたり、撮影画像が記録された記録メディアが接続されると、撮影日時や撮影条件などを示す撮影情報が付加された撮影画像を取得する。取得された撮影画像データや撮影情報は、登録部５１３に伝えられる。
【００５３】
登録部５１３は、取込部５１２から送られてきた撮影画像データが表す撮影画像を縮小してサムネイル画像を生成し、撮影情報やサムネイル画像とともに、撮影画像データを保存部５０１に保存する。
【００５４】
保存部５０１は、図２に示すハードディスク装置１１３がその役割を担うものであり、撮影画像を表わす撮影画像データと、撮影画像の撮影条件や撮影日時などを示す撮影情報と、撮影画像が縮小されたサムネイル画像とがセットで保存されている。保存部５０１は、本発明にいう記憶装置の一例に相当する。
【００５５】
ここで、本実施形態の一覧表示装置５００には、保存部５０１に保存されている撮影画像を撮影日時に基づいて並べて表示する「撮影日時モード」と、保存部５０１に保存されている撮影画像を撮影日時の相対的な間隔に基づいてイベントグループに分類するとともに、同じイベントグループ内の撮影画像を撮影日時の間隔に基づいてシーングループに分類して表示する「イベントモード」が搭載されており、「撮影日時モード」を実行するための撮影日時ボタンと、「イベントモード」を実行するためのイベントボタンが予め用意されている。まずは、「撮影日時モード」による撮影画像の一覧表示について説明する。
【００５６】
図５は、撮影日時モードによる撮影画像の一覧表示の処理の流れを示すフローチャート図である。
【００５７】
ユーザがマウス１０４等を使って撮影日時ボタンを選択すると、図４の指示部５１１から撮影情報・画像取得部５１４に「撮影日時モード」の実行指示が伝えられる。
【００５８】
一覧表示の指示が伝えられると、撮影情報・画像取得部５１４では、保存部５０１に保存されているサムネイル画像、および撮影情報が取得される（図５のステップＳ１、ステップＳ２）。このサムネイル画像は、撮影画像を縮小したものであり、撮影画像と同等のデータである。取得された撮影情報は、位置算出部５１５に伝えられ、取得されたサムネイル画像は、３次元画像生成部５１７に伝えられる。
【００５９】
位置算出部５１５では、１日を４時間毎に区切る軸、４時間をさらに１時間毎に区切る軸、１日を示す軸それぞれを３軸とする３次元空間上の、撮影情報・画像取得部５１４から伝えられた撮影情報に含まれる撮影日時が対応する３次元上位置と、１日を４時間毎に区切る軸、１日を示す軸それぞれを２軸とする２次元空間上の、３次元上位置に対応する２次元上位置が算出される（図５のステップＳ３）。
【００６０】
図６は、３次元空間の一例を示す概念図であり、図７は、２次元空間の一例を示す概念図である。
【００６１】
図６に示すように、本実施形態においては、１日を４時間毎に区切った値をＹ軸（縦方向）、Ｙ軸に割り当てられた４時間をさらに１時間毎に区切った値をＸ軸（横方向）、１日をＺ軸（奥行き方向）とする３次元空間が適用される。
【００６２】
３次元空間のＸ軸には、１を起点として、２，３，４の値が順に割り付けられており、撮影日時（ＹＹＹＹ年ＭＭ月ＤＤ日  ＨＨ時ＰＰ分）の「時間ＨＨ」を４で割った値に１を加えた値がＸ軸上の値として取得される。
【００６３】
３次元空間のＹ軸には、２３時〜２０時の間の４時間を起点として、１９時〜１６時、…、７時〜４時、３時〜０時と４時間ごとに順に割り付けられている。撮影日時（ＹＹＹＹ年ＭＭ月ＤＤ日  ＨＨ時ＰＰ分）の「時間ＨＨ」を４で割った値がＹ軸上の値として取得される。
【００６４】
３次元空間のＺ軸には、今日を起点として、昨日、おととい、…と順に割り付けられており、撮影日時（ＹＹＹＹ年ＭＭ月ＤＤ日  ＨＨ時ＰＰ分）の日付「ＹＹＹＹ年ＭＭ月ＤＤ日」に基づいて、Ｚ軸上の値が算出される。
【００６５】
また、図７に示すように、本実施形態においては、１日を４時間毎に区切った値をＸ軸（横方向）、１日をＹ軸（縦方向）とする２次元空間が適用される。
【００６６】
２次元空間のＸ軸には、図６に示す３次元空間のＹ軸と同様に、２３時〜２０時の間の４時間を起点として、１９時〜１６時、…、７時〜４時、３時〜０時と４時間ごとに順に割り付けられおり、３次元空間におけるＹ軸上の値がそのまま２次元空間におけるＸ軸上の値として算出される。
【００６７】
２次元空間のＹ軸には、今日を起点として、昨日、おととい、…と順に割り付けられており、３次元空間におけるＺ軸上の値がそのまま２次元空間におけるＹ軸上の値として算出される。
【００６８】
例えば、同じ日の同じ時間帯に複数の撮影画像が撮影されると、３次元空間上の位置としては、各撮影画像の撮影日時のうちの「時間ＨＨ」それぞれに対応した複数の位置が算出されるが、２次元空間上の位置としては、それら複数の撮影画像に対して同じ位置が算出される。すなわち、２次元空間上のマークは、同じ日の同じ時間帯に撮影された撮影画像が１つ以上存在することを示している。
【００６９】
算出された２次元空間上の位置（２次元上位置）は、２次元画像生成部５１６に伝えられ、３次元空間上の位置（３次元上位置）は、３次元画像生成部５１７に伝えられる。
【００７０】
２次元画像生成部５１６では、２次元空間上の、位置算出部５１５から伝えられた２次元上位置に、撮影画像が存在することを示すマークが配置されて２次元画像が生成される（図５のステップＳ４）。生成された２次元画像は、表示部５１９に伝えられる。
【００７１】
制御部５２２では、表示部５１９に、２次元空間上にＹ軸に沿ったスクロールバーを表示させる指示が伝えられる。
【００７２】
３次元画像生成部５１７では、撮影情報・画像取得部５１４から送られてきたサムネイル画像が、３次元空間上の、位置算出部５１５から伝えられた位置に配置されて３次元画像が生成される（図５のステップＳ５）。生成された３次元画像は、表示部５１９に伝えられる。
【００７３】
また、数表示部５２３では、３次元画像上で最前面に表示される撮影画像の枚数が算出され、算出された撮影枚数が表示部５１９に伝えられる。
【００７４】
表示部５１９は、２次元画像生成部５１６から伝えられた２次元画像と、３次元画像生成部５１７から伝えられた３次元画像と、制御部５２２によって指示されたスクロールバーと、数表示部５２３から伝えられた撮影枚数を表示画面１０２ａ上に表示する（図５のステップＳ６）。
【００７５】
図８は、３次元画像６００、２次元画像６２０、およびスクロールバー６２３が表示された表示画面１０２ａの一例を示す図である。
【００７６】
尚、一覧表示が指示されて、３次元画像６００、２次元画像６２０、およびスクロールバー６２３が表示された初期状態においては、３次元画像６００および２次元画像６２０には、今日を起点として１週間分の期間を表わす領域のみが表示されている。
【００７７】
図８に示す３次元画像６００では、同じ日に撮影された撮影画像のサムネイル画像６１０は同一面上に並べて表示されている。各サムネイル画像６１０のＹ軸上の位置は、そのサムネイル画像６１０が表わす撮影画像が撮影された時間帯（４時間毎）を示しており、各サムネイル画像６１０のＸ軸上の位置は、Ｙ軸が示す時間帯の中での１時間毎の時間を示している。例えば、サムネイル画像６１０のＹ軸上の位置が「８時〜１１時」で、Ｘ軸上の位置が「２」である場合、その配置位置は、サムネイル画像６１０が撮影された時間が、Ｙ軸上の位置が示す時間帯「８、９、１０、１１時」のうちの２番目に早い時間の「９時」であることを示している。また、３次元画像６００に並べて、「撮影日時モード」による撮影画像の一覧表示を行うための撮影日時ボタン６３１と、「イベントモード」による撮影画像の一覧表示を行うためのイベントボタン６３２も表示されている。
【００７８】
このように、本実施形態の一覧表示装置５００によると、同じ日に撮影された撮影画像のサムネイル画像は３次元画像６００中で同一面上に並ぶため、例えば、入学式で撮影した撮影画像などをまとめて確認することができる。
【００７９】
また、図８に示す２次元画像６２０では、Ｘ軸を４時間毎の値、Ｙ軸を日とする２次元空間上の、３次元画像６００上で各サムネイル画像６１０が配置された位置と対応する位置にマーク６２１が表示されている。マーク６２１は、Ｙ軸が示す「日」の、Ｘ軸が示す「時間帯」に撮影された撮影画像が存在することを示している。
【００８０】
このように、本実施形態の一覧表示装置５００によると、２次元画像６２０を確認することによって、所定の日に撮影された撮影画像が存在するか否かを容易に確認することができる。
【００８１】
さらに、２次元画像６２０には、Ｙ軸（日）に沿って延び、２次元画像６２０上で日を指定するスクロールバー６２３と、スクロールバー６２３によって選択されている日の範囲を取り囲む枠６２２と、枠６２２に取り囲まれた撮影日時に撮影された撮影画像の枚数を示す数表示部６２４と、上述した期間を切り替えるための期間変更ボタン６２５と、および日を切り替える日変更ボタン６２６も表示されている。
【００８２】
枠６２２に取り囲まれた撮影日時は、３次元画像６００上で最前面に表示されている撮影画像の撮影日であり、数表示部６２４を確認することによって、同じ日に撮影された撮影画像の枚数を容易に認識することができる。
【００８３】
また、ポインタ６０１の右ボタンをクリックすると、サムネイル画像を選択するためのポップアップウィンドウ６４０が表示される。
【００８４】
図９は、ポップアップウィンドウが表示された後の表示画面１０２ａの一例を示す図である。
【００８５】
図９に示すポップアップウィンドウ６４０には、同じ時間帯に撮影された撮影画像を表わすサムネイル画像をまとめて選択するための「奥行きメニュー」、同じ日の同じ時間帯に撮影された撮影画像を表わすサムネイル画像をまとめて選択するための「行メニュー」、同じ日に撮影された撮影画像を表わすサムネイル画像をまとめて選択するための「面メニュー」が用意されている。
【００８６】
ユーザがポップアップウィンドウ６４０を使ってサムネイル画像６１０を選択すると（図５のステップＳ７：Ｙｅｓ）、図４の指示部５１１から強調表示部５２０に指定内容が伝えられ、強調表示部５２０によって、選択されたサムネイル画像６１０と、そのサムネイル画像６１０に対応するマーク６２１が強調表示される（図５のステップＳ８）。図９の例では、ユーザによってポップアップウィンドウ６４０の「面メニュー」が指定され、同じ日に撮影された撮影画像を表わすサムネイル画像６１０がまとめて選択されて強調表示（点灯表示）されていおり、２次元画像６２０上の、それら選択されたサムネイル画像６１０が表わす番組の配信日時に対応する位置に配置されたマーク６２１も強調表示（白抜き表示）されている。このように、選択されているサムネイル画像と、それらサムネイル画像に対応するマーク画像を強調表示することによって、現在、選択されているサムネイル画像が表わす撮影画像がいつ撮影されたものなのかを視覚的に容易に確認することができる。
【００８７】
サムネイル画像６１０が選択された状態で、ユーザが図１に示すマウス１０４を右クリックすると、選択したサムネイル画像６１０の撮影画像を記録媒体に記憶するためのポップアップウィンドウが表示される。
【００８８】
ユーザがポインタ６０１を使ってポップアップウィンドウ上に表示された指示を選択すると（図５のステップＳ９：Ｙｅｓ）、指示内容が図４の画像記憶部５２１に伝えられる。画像記憶部５２１では、保存部５０１から、選択されたサムネイル画像６１０の撮影画像データが取得され、撮影画像データが図２に示すＣＤ／ＤＶＤドライブ１１４を介して、ＣＤ−ＲＯＭ３００に替えてパーソナルコンピュータ１００に装填されたＤＶＤ（図示しない）などに記憶される（図５のステップＳ１０）。
【００８９】
以上のように、「撮影日時モード」によると、多くの撮影番組が保存部５０１に保存されており、３次元画像６００上で奥行き方向のサムネイル画像が重なってしまっていても、２次元画像６２０を確認することによって、どの日に撮影を行ったのかなどを容易に認識することができる。
【００９０】
以上で、「撮影日時モード」による処理の流れの説明を終了し、「イベントモード」による処理の流れについて説明する。
【００９１】
図１０は、保存部５０１に記憶されている撮影画像データの概念図である。
【００９２】
以下では、保存部５０１に、撮影日時が相互に異なる、「２００７年４月６日  ９：００」に撮影された撮影画像２００Ａ、「２００７年４月６日  ９：０５」に撮影された撮影画像２００Ｂ、「２００７年４月６日  ９：１５」に撮影された撮影画像２００Ｃ、「２００７年４月６日  １０：３０」に撮影された撮影画像２００Ｄ、「２００７年４月６日  １０：４０」に撮影された撮影画像２００Ｅ、「２００７年４月７日  １０：００」に撮影された撮影画像２００Ｆ、「２００７年４月９日  ９：００」に撮影された撮影画像２００Ｇ、「２００７年４月９日  ９：１０」に撮影された撮影画像２００Ｈ、「２００７年４月９日  ９：２０」に撮影された撮影画像２００Ｉ、「２００７年４月１０日  １５：００」に撮影された撮影画像２００Ｊ、「２００７年４月１０日  ２０：００」に撮影された撮影画像２００Ｋ、および「２００７年４月１０日  ２０：１０」に撮影された撮影画像２００Ｌが保存されているものとして説明する。
【００９３】
ユーザが図８に示すイベントボタン６３２を選択すると、図４の指示部５１１から撮影情報・画像取得部５１４に「イベントモード」の実行指示が伝えられる。
【００９４】
図１１は、イベントモードによる撮影画像の一覧表示の処理の流れを示すフローチャート図である。
【００９５】
「イベントモード」の実行指示が伝えられた場合も、撮影情報・画像取得部５１４では、保存部５０１に保存されているサムネイル画像、および撮影情報が取得される（図５のステップＳ１、ステップＳ２）。撮影情報・画像取得部５１４は、本発明にいうデータ取得部の一例にあたるとともに、本発明にいう日時取得部の一例にも相当する。また、サムネイル画像を取得するステップＳ１の処理は、本発明の表示方法におけるデータ取得過程の一例にあたり、番組情報を取得するステップＳ２の処理は、本発明の表示方法における日時取得過程の一例に相当する。取得された撮影情報は、イベント分類部５２４に伝えられ、取得されたサムネイル画像は、３次元画像生成部５１７に伝えられる。
【００９６】
尚、本実施形態では、撮影画像をイベントグループやシーングループに分類するのにあたり、予め、各種分類条件が設定される。
【００９７】
図１２は、撮影画像を分類するための分類条件を設定する条件設定画面の一例を示す図である。
【００９８】
図１２に示す条件設定画面６５０には、イベントグループに分類した撮影画像を撮影日時が新しいものから順に表示するための第１ラジオボタン６５１、イベントグループに分類した撮影画像を撮影日時が古いものから順に表示するための第２ラジオボタン６５２、イベントとイベントとの間を区切るためのイベント間基準期間の長さ度合い（最大値１０００、最小値０）を設定するためのシートスライダー６５３、１つのイベントグループ内で複数のシーングループに分類するためのイベント内基準期間の長さ（最大値１０００秒、最小値０秒）を設定するためのサムネイルスライダー６５４、設定されたイベント間基準期間およびイベント内基準期間を適用するための適用ボタン６５５、イベント間基準期間およびイベント内基準期間を初期値に戻すための初期値ボタン６５６、設定内容を決定するための決定ボタン６５７、および設定内容をキャンセルするためのキャンセルボタン６５８が備えられている。
【００９９】
この例では、イベント間基準期間として「１０」、イベント内基準期間として「１００秒」が設定されたものとして説明を行う。
【０１００】
イベント分類部５２４では、撮影情報に含まれる撮影日時の相対的な間隔と、予め設定されているイベント間基準期間に基づいて、撮影画像を複数のイベントグループに分類するとともに、同じイベントグループ内の撮影画像を、撮影日時の間隔と、予め設定されているイベント内基準期間に基づいて、複数のシーングループに分類する（図１１のステップＳ３＿１）。イベント分類部５２４は、本発明にいうデータ分類部の一例に相当する。また、撮影画像をイベントグループやシーングループに分類するステップＳ３＿１の処理は、本発明の表示方法におけるデータ分類過程の一例に相当する。
【０１０１】
ここで、一旦、図１１の説明を中断し、図１３を使って、撮影画像を複数のイベントグループに分類する処理について説明する。
【０１０２】
図１３は、イベント分類部５２４において、図１０に示す複数の撮影画像を複数のイベントグループに分類する一連の処理を示すフローチャート図である。この図１３では、複数の撮影画像２００Ａから撮影画像２００Ｌが末尾に付されたアルファベットで表現されている。
【０１０３】
図１０に示す複数の撮影画像２００Ａ〜２００Ｌを分類するのにあたり、まずは、それら撮影画像２００Ａ〜２００Ｌが撮影日時が古いものから順にソートされる（図１３のステップＳ１１）。
【０１０４】
続いて、撮影日時が最も古い撮影画像２００Ａと、撮影日時が２番目に古い撮影画像２００Ｂとが１番目のイベントグループ１に分類される（図１３のステップＳ１２）。
【０１０５】
さらに、ステップＳ１１においてソートされた撮影画像それぞれの撮影日時の間隔が撮影日時の古い順に算出されて、それらの間隔の相対変化に基づいて、分類されていない撮影画像２００Ｃ〜撮影画像２００Ｌが複数のイベントグループに分類される（図１３のステップＳ１２）。本実施形態においては、ｎ番目に古い撮影日時（ｎ）に撮影された撮影画像が、
評価値（ｎ）＝（撮影日時（ｎ）−撮影日時（ｎ−１））／（撮影日時（ｎ−１）−撮影日時（ｎ−２））  …式（１）
の式（１）で算出される評価値（ｎ）が図１２の条件設定画面６５０で設定されたイベント間基準期間（この例では、１０）よりも大きい場合には、（ｎ−１）番目に古い撮影日時（ｎ−１）の撮影画像とは違う新しいイベントグループに分類され、評価値（ｎ）がイベント間基準期間以下である場合には、その撮影日時（ｎ−１）の撮影画像と同じイベントグループに分類される。図１３では、撮影日時が最も古い撮影画像２００Ａと、撮影日時が２番目に古い撮影画像２００Ｂそれぞれの撮影日時の間隔「３００秒」、および撮影日時が２番目に古い撮影画像２００Ｂと、撮影日時が３番目に古い撮影画像２００Ｃそれぞれの撮影日時の間隔「６００秒」に基づいて評価値「２」が算出され、その評価値「２」がイベント間基準期間「１０」以下であることから、撮影画像２００Ｃは、撮影画像２００Ｂと同じイベントグループ１に分類される。以上のような分類処理が、撮影日時が最も新しい撮影画像２００Ｌまで続けられる。その結果、図１３のステップＳ１３の時点においては、最も古い撮影画像２００Ａから５番目に古い撮影画像２００Ｅまでが１番目のグループ１、６番目に古い撮影画像２００Ｆから９番目に古い撮影画像２００Ｉまでが２番目のグループ２、１０番目に古い撮影画像２００Ｊから１２番目に古い撮影画像２００Ｌまでが３番目のグループ３に分類される。
【０１０６】
通常、旅行などといったイベント中には、短い間隔で撮影が行われるが、イベントとイベントとの間の間隔はある程度空いていることが多い。式（１）に示すように、撮影日時の相対間隔を用いて撮影画像をイベントグループに分類することによって、数日間の旅行中に撮影した撮影画像などを同じイベントグループに精度良く分類することができる。
【０１０７】
続いて、分類された各イベントグループ間の分かれ目が以下のように調整される（図１３のステップＳ１３）。本実施形態においては、連続する２つのイベントグループ（Ｎ−１），Ｎにおいて、古い方のイベントグループ（Ｎ−１）の中で最も新しい撮影画像の撮影日時（ｎ−１）と、新しい方のイベントグループＮの中で最も古い撮影画像の撮影日時（ｎ）と、新しい方のイベントグループＮの中で２番目に古い撮影画像の撮影日時（ｎ＋１）とに基づいて、
撮影日時（ｎ）−撮影日時（ｎ−１）＜撮影日時（ｎ＋１）−撮影日時（ｎ）  …式（２）
という関係を満たす場合に、新しい方のイベントグループＮの中で最も古い撮影日時（ｎ）の撮影画像の分類が、古い方のイベントグループ（Ｎ−１）に変更される。図１３の例では、２番目のイベントグループにおいて最も古い撮影画像２００Ｆの撮影日時と、１番目のイベントグループ１において最も新しい撮影画像２００Ｅの撮影日時との差分「２３時間２０分」が、２番目のイベントグループにおいて２番目に古い撮影画像２００Ｇの撮影日時と２番目のイベントグループにおいて最も古い撮影画像２００Ｆの撮影日時との差分「４７時間」よりも小さいので、撮影画像２００Ｆの分類が１番目のイベントグループに変更される。
【０１０８】
撮影日時の相対間隔に基づいて撮影画像を分類すると、例えば、被写体を連写した場合などには、連写後の数分後に撮影された撮影画像が連写された撮影画像と別のイベントグループに分類されてしまう恐れがある。式（２）に従って、分類された各イベントグループ間の分かれ目が調整されることによって、撮影画像の分類精度を向上させることができる。
【０１０９】
続いて、各イベントグループ間の間隔が所定の閾値（本実施形態においては、１０分）よりも小さい場合、それらのイベントグループが結合される（図１３のステップＳ１５）。この図１３に示す例では、最も古いイベントグループ１と、２番目に古いイベントグループ２との間の間隔ｗ１が「２３時間」、２番目に古いイベントグループ２と、３番目に古いイベントグループ３との間の間隔ｗ２が「２９時間４０分」であり、ともに１０分以上であるため、イベントグループの結合は行われない。
【０１１０】
通常、イベントとイベントとの間は数時間空いていることが一般的であり、各イベントグループ間の間隔が短い場合にはそれらを結合することによって、さらに精度良く撮影画像を分類することができる。
【０１１１】
最後に、各イベントグループごとに、撮影画像２００Ａ〜撮影画像２００Ｌそれぞれの撮影日時の間隔が撮影日時の古い順に算出されて、その間隔に基づいて、各イベントグループに分類された撮影画像２００Ａ〜撮影画像２００Ｌがさらに複数のシーングループに分類される（図１３のステップＳ１６）。本実施形態においては、各イベントグループ内でｎ番目に古い撮影日時（ｎ）に撮影された撮影画像において、
評価値（ｎ）＝撮影日時（ｎ）−撮影日時（ｎ−１）      …式（３）
の式で算出される評価値（ｎ）が図１２の条件設定画面６５０で設定されたイベント内基準期間（この例では、１００秒）よりも大きい場合には、撮影日時（ｎ）の撮影画像が撮影日時（ｎ−１）の撮影画像とは違う新しいシーングループに分類され、評価値（ｎ）がイベント内基準期間以下である場合には、撮影日時（ｎ）の撮影画像が撮影日時（ｎ−１）の撮影画像と同じシーングループに分類される。図１３の例では、１番目のイベントグループ１内の古い順から３つの撮影画像２００Ａ,２００Ｂ，２００Ｃが１番目のシーングループ１＿１に分類され、１番目のイベントグループ１内の４番目と５番目に古い撮影画像２００Ｄ,２００Ｅが２番目のシーングループ１＿２に分類され、１番目のイベントグループ１内の最も新しい撮影画像２００Ｆが３番目のシーングループ１＿３に分類され、２番目のイベントグループ２内の全ての撮影画像２００Ｇ，２００Ｈ，２００Ｉは全て同じシーングループ２＿１に分類され、３番目のイベントグループ３内の最も古い撮影画像２００Ｊは１番目のシーングループ３＿１に分類され、３番目のイベントグループ３内の残りの撮影画像２００Ｋ,２００Ｌは２番目のシーングループ３＿２に分類される。
【０１１２】
旅行中などでは、目的地に着いたら撮影が行われ、目的地から目的地までの移動中には撮影が中断されることが多い。１つのイベントグループ内の撮影画像を、撮影日時の間隔に基づいて複数のシーングループに分類することによって、旅行中に撮影された撮影画像を出来事ごとに分類することができる。
【０１１３】
以上のようにして、撮影画像２００Ａ〜撮影画像２００Ｌがイベントグループおよびシーングループに分類される。
【０１１４】
図１１に戻って説明する。
【０１１５】
分類結果は、イベント分類部５２４から位置算出部５１５に伝えられる。
【０１１６】
位置算出部５１５では、時間、シーングループ、およびイベントグループそれぞれを軸とする３次元空間上の、イベント分類部５２４から伝えられた分類結果が対応する３次元上位置と、時間、およびイベントグループそれぞれを軸とする２次元空間上の、３次元上位置に対応する２次元上位置が算出される（図１１のステップＳ３＿２）。
【０１１７】
算出された２次元空間上の位置（２次元上位置）は、２次元画像生成部５１６に伝えられ、３次元空間上の位置（３次元上位置）は、３次元画像生成部５１７に伝えられる。
【０１１８】
２次元画像生成部５１６では、２次元画像が生成され（図１１のステップＳ４）、３次元画像生成部５１７では、３次元画像が生成され（図１１のステップＳ５）、数表示部５２３では、３次元画像上で最前面に表示される撮影画像の枚数が算出される。
【０１１９】
表示部５１９は、２次元画像生成部５１６で生成された２次元画像と、３次元画像生成部５１７で生成された３次元画像と、スクロールバーと、数表示部５２３で算出された撮影枚数を表示画面１０２ａ上に表示する（図５のステップＳ６）。３次元画像生成部５１７と表示部５１９とを合わせたものは、本発明にいう表示部の一例にあたり、２次元画像生成部５１６と表示部５１９とを合わせたものは、本発明にいう補助表示部の一例にあたり、数表示部５２３と表示部５１９とを合わせたものは、本発明にいうデータ数表示部の一例に相当する。
【０１２０】
図１４は、３次元画像７１０、２次元画像６２０、およびスクロールバー６２３が表示された表示画面１０２ａの一例を示す図である。
【０１２１】
図１４に示す３次元画像７１０では、同じイベントグループに分類された撮影画像のサムネイル画像６１０は同一面上に並べて表示されており、さらに、撮影画像のサムネイル画像６１０がシーングループごとに分類されて表示されている。各サムネイル画像６１０のＹ軸上の位置は、そのサムネイル画像６１０が分類されたシーングループを示しており、各サムネイル画像６１０はＸ軸上に沿って撮影日時の順に並べられている。
【０１２２】
このように、本実施形態の一覧表示装置５００によると、同じイベントグループに撮影された撮影画像のサムネイル画像は３次元画像６００中で同一面上に並ぶため、旅行中に撮影した撮影画像などをまとめて確認することができる。
【０１２３】
また、２次元画像６２０では、Ｘ軸（時間）に沿って延びた複数のマーク６２１´が配置されており、各マーク６２１´それぞれが各イベントグループを示している。また、２次元画像６２０には、Ｙ軸（イベントグループ）に沿って延び、２次元画像６２０上でイベントグループを指定するスクロールバー６２３と、スクロールバー６２３によって選択されているイベントグループのマーク６２１´を取り囲む枠６２２と、スクロールバー６２３によって選択されたイベントグループに分類された撮影画像の枚数を示す数表示部６２４なども表示されている。
【０１２４】
ユーザがスクロールバー６２３をスクロールすると、図４に示す指定部５１１においてスクロール量に応じてイベントグループが切り替えられ、切り替えられたイベントグループが制御部５２２に伝えられる。制御部５２２は、２次元画像生成部５１６および３次元画像生成部５１７それぞれにイベントグループを切り替える指示を伝えることにより、２次元画像６２０上の枠６２２を、切り替えられたイベントグループの位置まで移動させるとともに、３次元画像７１０上のサムネイル画像６１０を、切り替えられたイベントグループのサムネイル画像が最前面にくるように配置しなおさせる。指定部５１１は、本発明にいう指定部の一例にあたり、制御部５２２は、本発明にいう表示制御部の一例に相当する。
【０１２５】
図１５は、イベントグループが切り替えられた後の表示画面１０２ａの一例を示す図である。
【０１２６】
図１５では、枠６２２が２番目のイベントグループを示すマーク６２１´を取り囲んでおり、数表示部６２４には、２番目のイベントグループに属している撮影画像の数が示されている。また、３次元画像７１０には、２番目のイベントグループに属している撮影画像のサムネイル画像６１０が表示されている。
【０１２７】
スクロールバー６２３を利用することによって、ユーザは容易に３次元画像７１０の表示を切り替えることができる。
【０１２８】
また、図１４に示すように、ユーザがポインタ６０１の右ボタンをクリックすると、サムネイル画像を選択するためのポップアップウィンドウ６４０´が表示される。
【０１２９】
図１４に示すポップアップウィンドウ６４０´には、同じイベントグループに分類された撮影画像を表わすサムネイル画像をまとめて選択するための「イベントメニュー」、同じシーングループに分類された撮影画像を表わすサムネイル画像をまとめて選択するための「行メニュー」、全ての撮影画像を表わすサムネイル画像をまとめて選択するための「全画像メニュー」が用意されている。
【０１３０】
ユーザがポップアップウィンドウ６４０´を使ってサムネイル画像６１０を選択すると（図１１のステップＳ７：Ｙｅｓ）、図４の指示部５１１から強調表示部５２０に指定内容が伝えられ、図９に示す「撮影日時モード」と同様に、強調表示部５２０によって、選択されたサムネイル画像６１０と、そのサムネイル画像６１０に対応するマーク６２１が強調表示される（図１１のステップＳ８）。
【０１３１】
また、サムネイル画像６１０が選択された状態で、ユーザが図１に示すマウス１０４を右クリックすると、選択したサムネイル画像６１０の撮影画像を記録媒体に記憶するためのポップアップウィンドウが表示される。
【０１３２】
ユーザがポインタ６０１を使ってポップアップウィンドウ上に表示された指示を選択すると（図１１のステップＳ９：Ｙｅｓ）、指示内容が図４の画像記憶部５２１に伝えられ、選択されたサムネイル画像６１０の撮影画像データがパーソナルコンピュータ１００に装填されたＤＶＤ（図示しない）などに記憶される（図１１のステップＳ１０）。
【０１３３】
このように、本実施形態によると、複数の撮影画像を精度良く複数のイベントグループに分類し、それらの撮影画像の一覧を見やすく表示することができる。
【０１３４】
ここで、上記では、表示装置としてパーソナルコンピュータが適用される例について説明したが、本発明の表示装置は、ビデオデッキなどであってもよい。
【０１３５】
また、上記では、撮影画像を表わす撮影画像データの一覧を表示する例について説明したが、本発明にいうデータは、日時が対応付けられたものであれば、例えば、番組を表わす番組データや、文書を表わす文書データなどであってもよい。
【０１３６】
また、上記では、複数のグループを奥行き方向に並べてサムネイル画像を３次元表示する例について説明したが、本発明にいう表示部は、複数の撮影画像をグループに分類して表示するものであれば、例えば、複数の撮影画像をグループごとに２次元表示するものであってもよく、複数の撮影画像をグループごとに色分けして表示するものであってもよい。
【０１３７】
また、上記では、撮影画像を登録する際にサムネイル画像を生成する例について説明したが、本発明にいう３次元表示部は、撮影画像の一覧を表示させる際にサムネイル画像を表示するものであってもよい。
【符号の説明】
【０１３８】
１００    パーソナルコンピュータ
１０１    本体装置
１０２    画像表示装置
１０２ａ    表示画面
１０３    キーボード
１０４    マウス
１０５    バス
１１１    ＣＰＵ
１１２    主メモリ
１１３    ハードディスク装置
１１４    ＣＤ／ＤＶＤドライブ
１１５    ＦＤドライブ
１１６    通信インタフェース
４００    一覧表示プログラム
４１１    指示部
４１２    取込部
４１３    登録部
４１４    撮影情報・画像取得部
４１５    イベント分類部
４１６    位置算出部
４１７    ２次元画像生成部
４１８    ３次元画像生成部
４１９    表示部
４２０    強調表示部
４２１    画像記憶部
４２２    数表示部
４２３    制御部
５００    一覧表示装置
５１１    指示部
５１２    取込部
５１３    登録部
５１４    撮影情報・画像取得部
５１５    位置算出部
５１６    ２次元画像生成部
５１７    ３次元画像生成部
５１９    表示部
５２０    強調表示部
５２１    画像記憶部
５２２    制御部
５２３    数表示部
５２４    イベント分類部
【図１】
2010205308.tif 000003
【図２】
2010205308.tif 000004
【図３】
2010205308.tif 000005
【図４】
2010205308.tif 000006
【図５】
2010205308.tif 000007
【図６】
2010205308.tif 000008
【図７】
2010205308.tif 000009
【図８】
2010205308.tif 000010
【図９】
2010205308.tif 000011
【図１０】
2010205308.tif 000012
【図１１】
2010205308.tif 000013
【図１２】
2010205308.tif 000014
【図１３】
2010205308.tif 000015
【図１４】
2010205308.tif 000016
【図１５】
2010205308.tif 000017